(57)【要約】【課題】  筒体の内部に挿入される蓋体の部分を、筒体に対して周方向で容易に位置決することができる器具を提供する。【解決手段】  器具は、端部が開放される筒体と、筒体に取り付けられる蓋体と、を備え、蓋体は、筒体に固定される固定体と、固定体に対して回転可能であって、筒体に取り付けられた際に、筒体の内部に挿入される回転体と、を備え、筒体は、周方向で回転体を位置決めするために、軸方向に変位する蓋体に対して回転体を周方向に案内する案内部を、内周部に備える。【選択図】  図４
2018041551.tif 000002
【特許請求の範囲】
【請求項１】
端部が開放される筒体と、前記筒体に取り付けられる蓋体と、を備え、
前記蓋体は、前記筒体に固定される固定体と、前記固定体に対して回転可能であって、前記筒体に取り付けられた際に、前記筒体の内部に挿入される回転体と、を備え、
前記筒体は、周方向で前記回転体を位置決めするために、軸方向に変位する前記蓋体に対して前記回転体を周方向に案内する案内部を、内周部に備える、器具。
【請求項２】
前記固定体は、前記蓋体が前記筒体に対して軸方向に沿って変位するように、内周部が前記筒体の外周部にスライドする筒状部を備える、請求項１に記載の器具。
【請求項３】
前記回転体は、前記筒状部の内部に配置される軸体と、前記軸体から突出し、前記案内部に案内される突出部と、を備え、
前記突出部は、前記軸体の外周部から突出し、前記軸体と前記筒状部との間に配置される、請求項２に記載の器具。
【請求項４】
前記筒体の外周部は、雄ねじ山を備え、
前記筒状部の内周部は、前記雄ねじ山と螺合する雌ねじ山を備え、
前記案内部は、周方向に亘って、前記雄ねじ山が周方向に対して傾斜する方向と同じ方向に、周方向に対して傾斜する、請求項２又は３に記載の器具。
【請求項５】
前記筒体は、内周部で且つ前記案内部よりも軸方向の内側に、軸方向に変位する前記蓋体に対して前記回転体が周方向に動くことを規制する規制部を備える、請求項１〜４の何れか１項に記載の器具。
【請求項６】
前記回転体は、前記蓋体が前記筒体に取り付けられた際に、前記筒体の内部に収容される収容体に接する接部を備え、
前記接部は、前記回転体が前記案内部に案内される際に、前記収容体と離れるように、配置される、請求項５に記載の器具。
【請求項７】
前記筒体は、サイズの異なる複数の乾電池を周方向に並列して収容する収容部を備え、
前記回転体は、前記蓋体が前記筒体に取り付けられた際に、前記複数の乾電池の一方側の端子に接する複数の接部を備え、
前記複数の接部は、それぞれ同じ形状であり、
前記収容部は、前記複数の乾電池の前記一方側の端子が軸方向で同じ位置となるように、前記複数の乾電池を保持する、請求項１〜６の何れか１項に記載の器具。
【発明の詳細な説明】
【技術分野】
【０００１】
本発明は、端部が開放される筒体と、筒体に取り付けられる蓋体とを備える器具に関する。
【背景技術】
【０００２】
従来、器具として、端部が開放される筒体と、筒体に取り付けられる蓋体とを備える器具が、知られている（例えば、特許文献１）。そして、蓋体が筒体に取り付けられた際に、蓋体の一部は、筒体の内部に挿入され、当該部分は、筒体に対して周方向で、位置決めされなければならない。
【先行技術文献】
【特許文献】
【０００３】
【特許文献１】特開２０１４−１１６０９２号公報
【発明の概要】
【発明が解決しようとする課題】
【０００４】
そこで、課題は、筒体の内部に挿入される蓋体の部分を、筒体に対して周方向で容易に位置決することができる器具を提供することである。
【課題を解決するための手段】
【０００５】
器具は、端部が開放される筒体と、前記筒体に取り付けられる蓋体と、を備え、前記蓋体は、前記筒体に固定される固定体と、前記固定体に対して回転可能であって、前記筒体に取り付けられた際に、前記筒体の内部に挿入される回転体と、を備え、前記筒体は、周方向で前記回転体を位置決めするために、軸方向に変位する前記蓋体に対して前記回転体を周方向に案内する案内部を、内周部に備える。
【０００６】
また、器具においては、前記固定体は、前記蓋体が前記筒体に対して軸方向に沿って変位するように、内周部が前記筒体の外周部にスライドする筒状部を備える、という構成でもよい。
【０００７】
また、器具においては、前記回転体は、前記筒状部の内部に配置される軸体と、前記軸体から突出し、前記案内部に案内される突出部と、を備え、前記突出部は、前記軸体の外周部から突出し、前記軸体と前記筒状部との間に配置される、という構成でもよい。
【０００８】
また、器具においては、前記筒体の外周部は、雄ねじ山を備え、前記筒状部の内周部は、前記雄ねじ山と螺合する雌ねじ山を備え、前記案内部は、周方向に亘って、前記雄ねじ山が周方向に対して傾斜する方向と同じ方向に、周方向に対して傾斜する、という構成でもよい。
【０００９】
また、器具においては、前記筒体は、内周部で且つ前記案内部よりも軸方向の内側に、軸方向に変位する前記蓋体に対して前記回転体が周方向に動くことを規制する規制部を備える、という構成でもよい。
【００１０】
また、器具においては、前記回転体は、前記蓋体が前記筒体に取り付けられた際に、前記筒体の内部に収容される収容体に接する接部を備え、前記接部は、前記回転体が前記案内部に案内される際に、前記収容体と離れるように、配置される、という構成でもよい。
【００１１】
また、器具においては、前記筒体は、サイズの異なる複数の乾電池を周方向に並列して収容する収容部を備え、前記回転体は、前記蓋体が前記筒体に取り付けられた際に、前記複数の乾電池の一方側の端子に接する複数の接部を備え、前記複数の接部は、それぞれ同じ形状であり、前記収容部は、前記複数の乾電池の前記一方側の端子が軸方向で同じ位置となるように、前記複数の乾電池を保持する、という構成でもよい。
【発明の効果】
【００１２】
以上の如く、器具は、筒体の内部に挿入される蓋体の部分を、筒体に対して周方向で容易に位置決することができる、という優れた効果を奏する。
【図面の簡単な説明】
【００１３】
【図１】図１は、一実施形態に係る器具の全体正面図である。
【図２】図２は、同実施形態に係る器具の全体平面図である。
【図３】図３は、同実施形態に係る器具の要部正面図である。
【図４】図４は、同実施形態に係る器具の要部図であって、図２のIV−IV線断面図である。
【図５】図５は、同実施形態に係る蓋体の全体斜視図であって、一部断面を示す図である。
【図６】図６は、同実施形態に係る蓋体の全体縦断面図である。
【図７】図７は、同実施形態に係る筒体の要部斜視図である。
【図８】図８は、同実施形態に係る筒体の要部縦断面図である
【図９】図９は、同実施形態に係る器具の要部縦断面図であって、蓋体が筒体に取り付けられる過程を示す図である。
【図１０】図１０は、同実施形態に係る器具の要部縦断面図であって、蓋体が筒体に取り付けられる過程を示す図である。
【図１１】図１１は、同実施形態に係る器具の要部縦断面図であって、蓋体が筒体に取り付けられる過程を示す図である。
【図１２】図１２は、同実施形態に係る器具の要部縦断面図であって、蓋体が筒体に取り付けられる過程を示す図である。
【図１３】図１３は、他の実施形態に係る器具の要部縦断面図であって、蓋体が筒体に取り付けられる前の状態を示す図である。
【図１４】図１４は、同実施形態に係る器具の要部縦断面図であって、蓋体が筒体に取り付けられた状態を示す図である。
【図１５】図１５は、さらに他の実施形態に係る筒体の要部縦断面図である
【図１６】図１６は、さらに他の実施形態に係る蓋体の全体斜視図であって、一部断面を示す図である。
【発明を実施するための形態】
【００１４】
以下、器具における一実施形態について、図１〜図１２を参酌して説明する。なお、各図（図１３〜図１６も同様）において、図面の寸法比と実際の寸法比とは、必ずしも一致しておらず、また、各図面の間での寸法比も、必ずしも一致していない。
【００１５】
図１〜図３に示すように、本実施形態においては、器具１は、携帯電灯具１としている。携帯電灯具１は、端部が開放される筒体３を有する器具本体２と、筒体３に取り付けられる蓋体４とを備えている。
【００１６】
器具本体２は、発光する光源２ａと、光源２ａの点灯と消灯とを操作する操作部２ｂと、操作部２ｂの操作に基づいて、光源２ａに電力を供給する回路部２ｃとを備えている。また、器具本体２は、光源２ａの光を外部に向けて投射するために、テーパ状で且つ筒状に形成される投射部２ｄを備えている。
【００１７】
筒体３は、器具本体２の端部に配置されている。そして、筒体３は、収容体２０を収容する収容部５を備えている。本実施形態においては、収容体２０は、乾電池２０である。具体的には、収容体２０は、複数備えられ、複数の収容体２０は、サイズの異なる複数の乾電池２０である。
【００１８】
収容部５は、サイズの異なる複数の乾電池２０を筒体３の周方向に並列して収容している。本実施形態においては、収容部５に収容される複数の乾電池２０は、筒体３の周方向に沿って、単三乾電池、単四乾電池、単三乾電池、単四乾電池の順に並べられ、また、同じサイズの乾電池２０，２０同士（単三乾電池同士、単四乾電池同士）は、筒体３の径方向で対面している。
【００１９】
また、収容部５は、乾電池２０の凸状の正極端子２０ａに接する端子部５ａを複数備えている。端子部５ａは、接する乾電池２０の正極端子２０ａと回路部２ｃとを電気的に接続する。また、複数の端子部５ａは、それぞれ所定の位置に配置されているため、収容部５は、複数の乾電池２０の平坦な負極端子２０ｂが筒体３の軸方向（図３においては、上下方向）で同じ位置となるように、複数の乾電池２０を保持している。
【００２０】
図４〜図６に示すように、蓋体４は、筒体３に固定される固定体６と、固定体６に対して回転可能な回転体７とを備えている。なお、蓋体４は、筒体３に着脱可能に構成されている。
【００２１】
固定体６は、筒状に形成される筒状部６ａと、回転体７に接続される接続部６ｂとを備えている。また、固定体６は、開放される筒体３の端部を覆うカバー部６ｃを備えており、カバー部６ｃは、筒状部６ａと接続部６ｂとを接続している。なお、蓋体４が筒体３に取り付けられる際には、筒状部６ａの軸方向（図４においては、上下方向）と筒体３の軸方向（図４においては、上下方向）とは、平行である（具体的には、同一である）。
【００２２】
回転体７は、筒状部６ａの内部に配置される軸体７ａと、蓋体４が筒体３に取り付けられた際に、筒体３の内部に収容される収容体２０に接する複数の接部７ｂとを備えている。なお、回転体７は、蓋体４が筒体３に取り付けられた際に、筒体３の内部に挿入される。具体的には、蓋体４が筒体３に取り付けられた際に、接部７ｂの全体と軸体７ａの一部（先端側の大部分）とが、筒体３の内部に挿入される。
【００２３】
軸体７ａは、固定体６に対して回転するように、接続部６ｂに回転可能に接続されている。具体的には、軸体７ａは、回転軸が筒状部６ａの軸方向（図４においては、上下方向）と平行となるように、接続部６ｂに回転可能に接続されている。
【００２４】
接部７ｂは、軸体７ａから筒状部６ａの軸方向（図４においては、上下方向であって、具体的には、下方向）に突出するように、配置されている。そして、接部７ｂは、蓋体４が筒体３に取り付けられた際に、乾電池２０の負極端子２０ｂに接する。したがって、本実施形態においては、接部７ｂは、収容部５に収容される乾電池２０に対応して、四つ備えられている。
【００２５】
また、接部７ｂは、接する乾電池２０の負極端子２０ｂと回路部２ｃとを電気的に接続する。具体的には、回転体７は、導電性を有する導電部７ｃを備え、筒体３は、導電性を有する導電体８を備え、乾電池２０の負極端子２０ｂは、接部７ｂ、導電部７ｃ、及び導電体８を経由して、回路部２ｃと電気的に接続している。
【００２６】
導電部７ｃは、平板状に形成されている。そして、導電部７ｃは、表面側で、複数の接部７ｂと連結されており、裏面側で、軸体７ａと連結されている。これにより、複数の接部７ｂは、導電部７ｃを経由して、互いに電気的に接続されている。なお、複数の乾電池２０は、光源２ａに対して電気的に並列接続されている。
【００２７】
これにより、少なくとも一つの乾電池２０が収容部５に収容されることで、光源２ａを発光させることができる。換言すると、収容部５に複数の乾電池２０が収容され、そのうち少なくとも１つの乾電池２０が有効な起電力を有していれば、光源２ａを発光させることができる。
【００２８】
しかも、収容部５が、サイズの異なる複数の乾電池２０を収容できるため、例えば、緊急時に、準備可能な乾電池２０のサイズに対して、フレキシブルに対応することができる。なお、収容部５は、単三乾電池、単四乾電池だけでなく、単一乾電池、単二乾電池も収容できる、という構成でもよい。
【００２９】
複数の接部７ｂは、それぞれ同じ形状である。そして、複数の接部７ｂは、乾電池２０の配置と対応して、筒状部６ａの周方向に沿って並列されている。また、複数の接部７ｂは、弾性変形するように形成されている。本実施形態においては、接部７ｂは、弦巻バネ状に形成されており、乾電池２０の負極端子２０ｂと接する先端部に向けて、縮径するように形成されている。
【００３０】
導電体８は、図３及び図４に示すように、蓋体４が筒体３に取り付けられた際に、導電部７ｃと接する当接部８ａと、当接部８ａから筒体３の軸方向に延びる棒体８ｂと、当接部８ａを導電部７ｃと加圧接触させる弾性体８ｃとを備えている。弾性体８ｃは、弾性変形することでその復元力により、当接部８ａを筒体３の軸方向に（蓋体４の導電部７ｃに向けて）押している。
【００３１】
図４〜図８に示すように、回転体７は、軸体７ａから突出する突出部７ｄを備えている。そして、突出部７ｄは、軸体７ａの外周部から径方向外側に突出し、軸体７ａと筒状部６ａとの間に配置されている。
【００３２】
それに対して、筒体３は、回転体７を筒体３の周方向に案内するために、突出部７ｄを案内する案内部９を備えている。そして、案内部９は、筒体３の内周部に備えられている。また、案内部９は、筒体３の周方向と傾斜する方向に、延びている。これにより、蓋体４が筒体３に対して取り付け方向に変位する際に、案内部９は、回転体７を筒体３の周方向に案内する。これにより、回転体７は、筒体３に対して、筒体３の周方向で位置決めされる。
【００３３】
なお、「取り付け方向」とは、筒体３の軸方向であって、蓋体４が筒体３に取り付けられる際に、蓋体４が筒体３に対して変位する方向である。また、「取り外し方向」とは、筒体３の軸方向であって、蓋体４が筒体３に取り外される際に、蓋体４が筒体３に対して変位する方向である。図４においては、取り付け方向は、下方向であり、取り外し方向は、上方向である。
【００３４】
また、筒体３は、内周部で且つ案内部９よりも軸方向の内側（奥側であって、図８においては、下側）に、回転体７が周方向に動くことを規制する規制部１０を備えている。規制部１０は、回転体７の突出部７ｄを筒体３の周方向の両側で係止するように、筒体３の軸方向に延びる一対の係止部１０ａを備えている。そして、一対の係止部１０ａ，１０ａは、位置決めされた回転体７の突出部７ｄを筒体３の周方向で挟むように、筒体３の周方向で離れて配置されている。
【００３５】
これにより、回転体７が筒体３に対して筒体３の周方向で位置決めされた後、さらに、蓋体４が筒体３に対して取り付け方向に変位する際に、規制部１０は、回転体７が筒体３の周方向に動くことを規制する。換言すると、規制部１０は、蓋体４が筒体３に対して取り付け方向に変位する際に、回転体７を筒体３の軸方向に沿って案内する。
【００３６】
本実施形態においては、突出部７ｄ、案内部９、及び規制部１０は、それぞれ４つ備えられている。さらに、突出部７ｄは、回転体７の周方向に等間隔となるように配置され、案内部９及び規制部１０は、それぞれ筒体３の周方向に等間隔となるように配置されている。
【００３７】
筒体３の外周部１１は、雄ねじ山１１ａを備えており、筒状部６ａの内周部６ｄは、雄ねじ山１１ａと螺合する雌ねじ山６ｅを備えている。そして、筒状部６ａの雌ねじ山６ｅが、筒体３の雄ねじ山１１ａと螺合することで、筒状部６ａの内周部６ｄは、筒体３に対して螺旋状に移動するようにして、筒体３の外周部１１にスライドしている。これにより、筒状部６ａの内周部６ｄが、筒体３の外周部１１にスライドすることで、蓋体４は、筒体３に対して筒体３の軸方向（図４においては、上下方向）に沿って変位する。
【００３８】
また、筒体３の雄ねじ山１１ａと筒状部６ａの雌ねじ山６ｅとが螺合を完了することで、固定体６が筒体３に螺着し、これにより、蓋体４が筒体３に取り付けられる。なお、案内部９は、筒体３の周方向に亘って、雄ねじ山１１ａが周方向に対して傾斜する方向と同じ方向に、筒体３の周方向に対して傾斜している。これにより、蓋体４が筒体３に取り付けられる際に、固定体６の筒状部６ａが筒体３に対して回転する方向と、回転体７が案内部９に案内されて筒体３に対して回転する方向とは、同じである。
【００３９】
本実施形態に係る器具（携帯電灯具）１の構成については以上の通りであり、次に、本実施形態に係る蓋体４が筒体３に取り付けられる状態について、図９〜図１２を参酌して説明する。
【００４０】
なお、図９〜図１２において、その状態が理解しやすいように、蓋体４は、固定体６のうち、筒状部６ａ及びカバー部６ｃのみ図示し、回転体７のうち、接部７ｂ、導電部７ｃ、及び突出部７ｄのみ図示している。また、実際には、接部７ｂは、回転体７と共に、筒体３の周方向に移動するが、乾電池２０との関係を分かり易く示すため、筒体３の周方向に移動しないように示している。
【００４１】
図９に示すように、蓋体４の接部７ｂが、筒体３の端部から筒体３の内部に挿入するように、蓋体４が、筒体３に対して、筒体３の取り付け方向（図９においては、下方向）に移動する。これにより、図１０に示すように、突出部７ｄも、筒体３の内部に挿入し、突出部７ｄは、筒体３の案内部９に接する。
【００４２】
その後、筒状部６ａの雌ねじ山６ｅと筒体３の雄ねじ山１１ａとが螺合することで、筒状部６ａの内周部６ｄは、筒体３の外周部１１にスライドする。これにより、蓋体４が、筒体３に対して筒体３の軸方向に沿って変位する。それに伴って、案内部９が、突出部７ｄを筒体３の周方向（具体的には、周方向だけでなく軸方向にも）に案内するため、回転体７は、固定体６に対して回転する。
【００４３】
ところで、案内部９が筒体３の周方向に対して傾斜する方向と、雄ねじ山１１ａが筒体３の周方向に対して傾斜する方向とは、同じ方向である。これにより、固定体６の筒状部６ａが筒体３に対して回転する方向と、回転体７の突出部７ｄが案内部９に案内されて筒体３に対して回転する方向とは、同じである。したがって、突出部７ｄは、案内部９に、筒体３の周方向に案内され易い。
【００４４】
その後、突出部７ｄが案内部９の周方向の端部まで案内されると、回転体７は、筒体３に対して所望位置となる。そして、図１１に示すように、突出部７ｄが、案内部９の軸方向の内側（図１１においては、下側）に隣接される規制部１０により、筒体３の周方向に動くことを規制されるため、回転体７は、筒体３に対して所望位置で維持される。なお、突出部７ｄが規制部１０に規制され始めた際（図１１の状態）には、接部７ｂは、収容体２０である乾電池２０と離れている。
【００４５】
さらに、筒状部６ａの雌ねじ山６ｅと筒体３の雄ねじ山１１ａとが螺合し、蓋体４が、筒体３に対して筒体３の軸方向に沿って変位する。このとき、突出部７ｄは、規制部１０に規制されているため、規制部１０に筒体３の軸方向に案内される。したがって、回転体７は、筒体３に対して所望位置で維持され続ける。
【００４６】
その状態で、図１２に示すように、蓋体４の接部７ｂは、収容体２０である乾電池２０の負極端子２０ｂと接触する。また、筒体３の導電体８の当接部８ａも、蓋体４の回転体７の導電部７ｃと接触する。これにより、接部７ｂ、導電部７ｃ、及び導電体８が、電気的に接続されるため、乾電池２０の負極端子２０ｂは、接部７ｂ、導電部７ｃ、及び導電体８を経由して、回路部２ｃと電気的に接続される。
【００４７】
このように、蓋体４を筒体３に取り付けることで、自然と、筒体３に対して回転体７を周方向で位置決することができる。したがって、明るい場所だけでなく、暗い場所でも、筒体３に対して回転体７を容易に位置決することができる。特に、本実施形態のように、器具１が携帯電灯具１のような場合には、暗い場所で使用される頻度が高いため、乾電池２０を収容部５に収容し、蓋体４を筒体３に取り付けるだけで、容易に光源２ａを点灯させることができる。
【００４８】
なお、突出部７ｄが、規制部１０により、筒体３の周方向に動くことを規制され、筒体３の軸方向に案内されている際に、接部７ｂは、乾電池２０の負極端子２０ｂと接する。したがって、接部７ｂが筒体３の周方向に動きながら乾電池２０の負極端子２０ｂと接することを、防止することができる。これにより、乾電池２０の負極端子２０ｂが、接部７ｂとの接触により損傷することを、防止することができる。
【００４９】
ところで、突出部７ｄ、案内部９、及び規制部１０は、周方向に等間隔となるように、それぞれ４つ備えられている。これにより、同じく四つ備えられている接部７ｂは、蓋体４と筒体３との関係で、どの乾電池２０と接するか不明である。それに対して、複数の接部７ｂは、それぞれ同じ形状であり、さらに、複数の乾電池２０は、負極端子２０ｂが筒体３の軸方向で同じ位置となるように、収容部５に保持されている。したがって、接部７ｂは、どの乾電池２０と接しても、問題なく、その乾電池２０と電気的に接続できる。
【００５０】
以上より、本実施形態に係る器具１は、端部が開放される筒体３と、前記筒体３に取り付けられる蓋体４と、を備え、前記蓋体４は、前記筒体３に固定される固定体６と、前記固定体６に対して回転可能であって、前記筒体３に取り付けられた際に、前記筒体３の内部に挿入される回転体７と、を備え、前記筒体３は、周方向で前記回転体７を位置決めするために、軸方向に変位する前記蓋体４に対して前記回転体７を周方向に案内する案内部９を、内周部に備える。
【００５１】
斯かる構成によれば、固定体６が筒体３に固定されることにより、回転体７が筒体３の内部に挿入された状態で、蓋体４が筒体３に取り付けられる。そして、筒体３は、内周部に案内部９を備えており、案内部９は、固定体６に対して回転する回転体７を、周方向に案内する。これにより、蓋体４が筒体３に対して軸方向に変位することに伴って、筒体３の内部に挿入される蓋体４の部分（回転体７）を、筒体３に対して周方向で容易に位置決することができる。
【００５２】
また、本実施形態に係る器具１においては、前記固定体６は、前記蓋体４が前記筒体３に対して軸方向に沿って変位するように、内周部６ｄが前記筒体３の外周部１１にスライドする筒状部６ａを備える、という構成である。
【００５３】
斯かる構成によれば、固定体６は、筒状部６ａを備えており、筒状部６ａの内周部６ｄは、筒体３の外周部１１にスライドする。これにより、蓋体４は、筒体３に対して軸方向に沿って変位できる。したがって、案内部９が回転体７を確実に案内できるため、回転体７が筒体３に対して確実に位置決めされる。
【００５４】
また、本実施形態に係る器具１においては、前記回転体７は、前記筒状部６ａの内部に配置される軸体７ａと、前記軸体７ａから突出し、前記案内部９に案内される突出部７ｄと、を備え、前記突出部７ｄは、前記軸体７ａの外周部から突出し、前記軸体７ａと前記筒状部６ａとの間に配置される、という構成である。
【００５５】
斯かる構成によれば、軸体７ａは、筒状部６ａの内部に配置され、突出部７ｄは、軸体７ａの外周部から突出し、案内部９に案内される。そして、突出部７ｄが、軸体７ａと筒状部６ａとの間に配置されているため、突出部７ｄが露出することを抑制することができる。これにより、例えば、突出部７ｄが何かに当たって損傷することを抑制することができる。
【００５６】
また、本実施形態に係る器具１においては、前記筒体３の外周部１１は、雄ねじ山１１ａを備え、前記筒状部６ａの内周部６ｄは、前記雄ねじ山１１ａと螺合する雌ねじ山６ｅを備え、前記案内部９は、周方向に亘って、前記雄ねじ山１１ａが周方向に対して傾斜する方向と同じ方向に、周方向に対して傾斜する、という構成である。
【００５７】
斯かる構成によれば、筒体３の外周部１１は、雄ねじ山１１ａを備え、筒状部６ａの内周部６ｄは、雌ねじ山６ｅを備えている。そして、雄ねじ山１１ａと雌ねじ山６ｅとが螺合する際に、筒状部６ａの内周部６ｄは、筒体３の外周部１１にスライドする。これにより、蓋体４は、筒体３に対して軸方向に沿って確実に変位できる。
【００５８】
また、案内部９が周方向に亘って周方向に対して傾斜する方向と、雄ねじ山１１ａが周方向に対して傾斜する方向とは、同じ方向である。これにより、蓋体４が筒体３に取り付けられる際に、固定体６の筒状部６ａが筒体３に対して回転する方向と、回転体７が案内部９に案内されて筒体３に対して回転する方向とは、同じになる。したがって、例えば、案内部９が回転体７を案内することで、回転体７が筒体３に対して回転することを促進することができる。
【００５９】
また、本実施形態に係る器具１においては、前記筒体３は、内周部で且つ前記案内部９よりも軸方向の内側に、軸方向に変位する前記蓋体４に対して前記回転体７が周方向に動くことを規制する規制部１０を備える、という構成である。
【００６０】
斯かる構成によれば、筒体３は、内周部で且つ案内部９よりも軸方向の内側に、規制部１０を備えている。そして、規制部１０が、軸方向に変位する蓋体４に対して回転体７が周方向に動くことを規制する。これにより、蓋体４が筒体３に対して軸方向に変位する際に、回転体７は、案内部９に案内され、筒体３に対して周方向で位置決めされた後は、規制部１０に周方向に動くことを規制される。したがって、回転体７が筒体３に対して周方向で確実に位置決めされる。
【００６１】
また、本実施形態に係る器具１においては、前記回転体７は、前記蓋体４が前記筒体３に取り付けられた際に、前記筒体３の内部に収容される収容体２０に接する接部７ｂを備え、前記接部７ｂは、前記回転体７が前記案内部９に案内される際に、前記収容体２０と離れるように、配置される、という構成である。
【００６２】
斯かる構成によれば、回転体７は、接部７ｂを備えており、蓋体４が筒体３に取り付けられた際に、接部７ｂは、筒体３の内部に収容される収容体２０に、接する。そして、回転体７が案内部９に案内される際に、接部７ｂが収容体２０と離れている。これより、回転体７が、規制部１０に規制されることで、筒体３に対して軸方向に変位する際に、接部７ｂは、収容体２０と接する。したがって、接部７ｂは、筒体３に対して周方向に変位することなく軸方向に変位しながら、収容体２０に接する。
【００６３】
また、本実施形態に係る器具１においては、前記筒体３は、サイズの異なる複数の乾電池２０を周方向に並列して収容する収容部５を備え、前記回転体７は、前記蓋体４が前記筒体３に取り付けられた際に、前記複数の乾電池２０の一方側の端子（本実施形態では、負極端子）２０ｂに接する複数の接部７ｂを備え、前記複数の接部７ｂは、それぞれ同じ形状であり、前記収容部５は、前記複数の乾電池２０の前記一方側の端子（本実施形態では、負極端子）２０ｂが軸方向で同じ位置となるように、前記複数の乾電池２０を保持する、という構成である。
【００６４】
斯かる構成によれば、収容部５は、サイズの異なる複数の乾電池２０を周方向に並列して収容している。そして、蓋体４が筒体３に取り付けられた際に、複数の接部７ｂは、複数の乾電池２０の一方側の端子（本実施形態では、負極端子）２０ｂに接する。
【００６５】
ところで、複数の接部７ｂは、それぞれ同じ形状であり、さらに、収容部５が複数の乾電池２０を保持することで、複数の乾電池２０の一方側の端子（本実施形態では、負極端子）２０ｂは、軸方向で同じ位置となっている。これにより、乾電池２０の一方側の端子（本実施形態では、負極端子）２０ｂに対して、何れの接部７ｂが接してもよいため、例えば、案内部９が回転体７を案内する距離を短くすることが可能となる。
【００６６】
なお、器具は、上記した実施形態の構成に限定されるものではなく、また、上記した作用効果に限定されるものではない。また、器具は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００６７】
上記実施形態に係る器具１においては、筒体３の雄ねじ山１１ａと、蓋体４の筒状部６ａの雌ねじ山６ｅとが螺合を完了し、固定体６が筒体３に螺着することで、蓋体４が筒体３に取り付けられる、という構成である。しかしながら、器具は、斯かる構成に限られない。例えば、蓋体４は、別部材（例えば、締め付けボルトや挟持部材）により、筒体３に取り付けられる、という構成でもよい。
【００６８】
また、例えば、図１３及び図１４に示すように、筒体３と蓋体４とは、それぞれ筒体３の軸方向で係合する係合部６ｆ，１１ｂを備える、という構成でもよい。図１３及び図１４に係る器具１においては、筒体３の外周部１１は、筒体３の径方向の外側に突出する係合部１１ｂを備えている。また、蓋体４の固定体６の筒状部６ａの内周部６ｄは、筒状部６ａの径方向の内側に突出する係合部６ｆを備えている。
【００６９】
図１３に示すように、蓋体４の接部７ｂが、筒体３の端部から筒体３の内部に挿入するように、蓋体４は、筒体３に対して筒体３の軸方向の内側（取り付け方向であって、図１３の下側）に移動する。これにより、図１４に示すように、筒体３の係合部１１ｂと蓋体４の固定体６の係合部６ｆとが、筒体３（筒状部６ａ）の軸方向で係合するため、蓋体４は、筒体３に取り付けられる。
【００７０】
また、上記実施形態に係る器具１においては、案内部９は、周方向に亘って、雄ねじ山１１ａが周方向に対して傾斜する方向と同じ方向に、周方向に対して傾斜する、という構成である。しかしながら、器具は、斯かる構成に限られない。例えば、図１５に示すように、案内部９は、筒体３の周方向に対して異なる方向に傾斜する第１案内部９ａと第２案内部９ｂとを備える、という構成でもよい。
【００７１】
図１５に係る筒体３においては、第１案内部９ａと第２案内部９ｂとは、隣接する規制部１０，１０間に、それぞれ配置されている。これにより、突出部７ｄは、より近い方の規制部１０に向けて、案内部９ａ，９ｂに案内されることになる。したがって、例えば、案内部９が回転体７を案内する距離を短くすることが可能となるため、回転体７が筒体３に対して確実に位置決めされる。
【００７２】
また、上記実施形態に係る器具１においては、突出部７ｄは、軸体７ａから径方向の外方に向けて突出している、という構成である。しかしながら、器具は、斯かる構成に限られない。例えば、図１６に示すように、突出部７ｄは、軸体７ａから軸方向に突出している、という構成でもよい。
【００７３】
なお、図１６に係る突出部７ａは、蓋体４が筒体３に取り付けられる際に、筒体３に引っ掛り易い。具体的には、一対の突出部７ａを同時に筒体３の内部に挿入させる作業が煩雑である。それに対して、上記実施形態に係る突出部７ａは、蓋体４が筒体３に取り付けられる際に、筒体３に引っ掛からずに、筒体３の内部に挿入され易い。したがって、突出部７ｄは、軸体７ａの外周部から突出する、という構成が好ましい。
【００７４】
また、上記実施形態に係る器具１においては、接部７ｂは、回転体７が案内部９に案内される際に、収容体２０と離れており、回転体７が規制部１０に規制される際に、収容体２０と接する、という構成である。しかしながら、器具は、斯かる構成に限られない。例えば、接部７ｂは、回転体７が案内部９に案内されている際に、離れていた収容体２０に接する、という構成でもよい。
【００７５】
また、上記実施形態に係る器具１においては、回転体７は、軸体７ａから突出する突出部７ｄを備え、案内部９は、回転体７の突出部７ｄを案内する、という構成である。しかしながら、器具は、斯かる構成に限られない。例えば、回転体７は、軸体７ａの外周面に凹状の溝部を備え、案内部９は、当該溝部を案内するために、筒体３の内周部から径方向の内側に突出する、という構成でもよい。
【００７６】
また、上記実施形態に係る器具１においては、収容部５は、４つの乾電池２０を筒体３の周方向に並列して収容している、という構成である。しかしながら、器具は、斯かる構成に限られない。例えば、収容部５は、２つ、３つ、又は５つ以上の乾電池２０を筒体３の周方向に並列して収容している、という構成でもよい。
【００７７】
また、上記実施形態に係る器具１においては、乾電池２０は、端子部５ａと接部７ｂとの間に一つ備えられている、という構成である。しかしながら、器具は、斯かる構成に限られない。例えば、乾電池２０は、端子部５ａと接部７ｂとの間に複数備えられている、という構成でもよい。即ち、複数の乾電池２０は、電気的に直列接続されている、という構成でもよい。
【００７８】
また、上記実施形態に係る器具１においては、端子部５ａは、乾電池２０の正極端子２０ａに接し、接部７ｂは、乾電池２０の負極端子２０ｂに接する、という構成である。しかしながら、器具は、斯かる構成に限られない。例えば、端子部５ａは、乾電池２０の負極端子２０ｂに接し、接部７ｂは、乾電池２０の正極端子２０ａに接する、という構成でもよい。また、例えば、複数の端子部５ａ（接部７ｂ）のうち一部は、乾電池２０の正極端子２０ａに接し、他部は、乾電池２０の負極端子２０ｂに接するという構成でもよい。
【００７９】
また、上記実施形態に係る器具１においては、筒体３に対して周方向で位置合わせする構成は、蓋体４が筒体３に取り付けられた際に、収容体２０に接する接部７ｂである、という構成である。しかしながら、器具は、斯かる構成に限られない。例えば、筒体３に対して周方向で位置合わせする構成は、蓋体４が筒体３に取り付けられた際に、収容体２０に離れている部材である、という構成でもよい。例えば、筒体３及び回転体７（蓋体４）のうち、一方は、光源２ａを備え、他方は、光源２ａに対して位置決め必要な光学素子（レンズ、反射板等）を備えている、という構成でもよい。
【００８０】
また、上記実施形態に係る器具１においては、蓋体４は、筒体３に対して、着脱可能である、という構成である。しかしながら、器具は、斯かる構成に限られない。例えば、蓋体４は、筒体３に一度取り付けられたら、取り外しできない、という構成でもよい。
【００８１】
また、上記実施形態に係る器具１においては、蓋体４が筒体３に取り付けられることで、筒体３に収容される収容体（乾電池）２０と、回転体７の接部７ｂとが、接する、という構成である。しかしながら、器具は、斯かる構成に限られない。
【００８２】
例えば、筒体３及び回転体７（蓋体４）のうち、一方は、凸状のコンセントプラグを備え、他方は、当該コンセントプラグに対応した凹状のコンセントを備え、蓋体４が筒体３に取り付けられることで、コンセントプラグがコンセントに差し込まれる、という構成でもよい。このように、コンセント接続機構を構成してもよい。
【００８３】
また、例えば、筒体３及び回転体７（蓋体４）のうち、一方は、第１端子を備え、他方は、第１端子と第２端子とが接触する第２端子を備え、蓋体４が筒体３に取り付けられることで、第１端子と第２端子とが接触し、第１端子と第２端子とが電気的に接続される、という構成でもよい。このように、スイッチ機構を構成してもよい。
【００８４】
また、例えば、筒体３及び回転体７（蓋体４）のうち、一方は、複数の第１ケーブルを備え、他方は、第１ケーブルと同数の第２ケーブルを備え、蓋体４が筒体３に取り付けられることで、第１ケーブルと第２ケーブルとが接触し、第１端子と第２端子とが電気的や光学的に接続される、という構成でもよい。このように、コネクタ機構を構成してもよい。
【００８５】
また、上記実施形態に係る器具１は、携帯電灯具である、という構成である。しかしながら、器具は、斯かる構成に限られない。例えば、器具１は、ランタン、電動工具、携帯用充電器、スピーカー、ラジオ、マイク、マッサージ器、おもちゃ、又はラジコン等である、という構成でもよい。
【符号の説明】
【００８６】
１…器具（携帯電灯具）、２…器具本体、２ａ…光源、２ｂ…操作部、２ｃ…回路部、２ｄ…投射部、３…筒体、４…蓋体、５…収容部、５ａ…端子部、６…固定体、６ａ…筒状部、６ｂ…接続部、６ｃ…カバー部、６ｄ…内周部、６ｅ…雌ねじ山、６ｆ…係合部、７…回転体、７ａ…軸体、７ｂ…接部、７ｃ…導電部、７ｄ…突出部、８…導電体、８ａ…当接部、８ｂ…棒体、８ｃ…弾性体、９…案内部、９ａ…第１案内部、９ｂ…第２案内部、１０…規制部、１０ａ…係止部、１１…外周部、１１ａ…雄ねじ山、１１ｂ…係合部、２０…収容体（乾電池）、２０ａ…正極端子、２０ｂ…負極端子
【図１】
2018041551.tif 000003
【図２】
2018041551.tif 000004
【図３】
2018041551.tif 000005
【図４】
2018041551.tif 000006
【図５】
2018041551.tif 000007
【図６】
2018041551.tif 000008
【図７】
2018041551.tif 000009
【図８】
2018041551.tif 000010
【図９】
2018041551.tif 000011
【図１０】
2018041551.tif 000012
【図１１】
2018041551.tif 000013
【図１２】
2018041551.tif 000014
【図１３】
2018041551.tif 000015
【図１４】
2018041551.tif 000016
【図１５】
2018041551.tif 000017
【図１６】
2018041551.tif 000018